(57)【要約】【課題】簡単な設計であり、かつ、搬送手段および押圧手段および／または押圧板が比較的長い場合でも、押圧板の調整を可能にする機械加工装置を提供する。【解決手段】パネル形状の加工物を機械加工するための機械加工装置（１）は、機械加工すべきパネル形状の加工物を搬送するための搬送手段（２）を含み、さらに、機械加工すべきパネル形状の加工物を搬送手段（２）に対して押圧できるように押圧板（６）を有する押圧手段（４）を含み、当該装置はさらに、案内手段（１０）を介して、搬送手段（２）に押圧板（６）を接続する保持手段（８）を含み、少なくとも１つの機械工具または機械加工組立品が、搬送手段（２）に沿って設けられる。案内手段（１０）は押圧板に対して摺動可能に設けられ、かつ、搬送手段（２）の搬送の方向に角度をなして延在する傾斜した案内面を有する少なくとも１つの傾斜した案内部材を有する。【選択図】図１
2007253622.tif 000002
【特許請求の範囲】
【請求項１】
好ましくは、少なくとも一部が、木、木材、その他の複合物またはその同種のものから作られるパネル形状の加工物を機械加工するための機械加工装置（１）であって、前記機械加工装置は、
機械加工すべき前記パネル形状の加工物を搬送するための搬送手段（２）と、
機械加工すべき前記パネル形状の加工物を前記搬送手段（２）に対して押圧できるように、押圧板（６）を有する押圧手段（４）と、
案内手段によって、前記押圧板（６）を前記搬送手段（２）に接続する保持手段（８）と、
前記搬送手段（２）に沿って設けられる、少なくとも１つの機械工具または機械加工組立品とを含み、
前記案内手段は、前記押圧板（６）に対して摺動可能に設けられ、かつ、前記搬送手段（２）の搬送の方向に角度をなして延在する傾斜した案内面（１０′、１２′）を有する、少なくとも１つの傾斜した案内部材（１０、１２）を有することを特徴とする、機械加工装置。
【請求項２】
前記案内手段はさらに、前記傾斜した案内部材（１０、１２）の前記傾斜した案内面（１０′、１２′）に沿って摺動するように設けられる、少なくとも１つの摺動部材（１０″、１２″）を含む、請求項１に記載の機械加工装置。
【請求項３】
前記少なくとも１つの摺動部材（１０″、１２″）は、前記保持手段（８）に確実に接続されることを特徴とする、請求項１または２に記載の機械加工装置。
【請求項４】
前記少なくとも１つの傾斜した案内部材（１０、１２）は、前記押圧板（６）に摺動可能に接続され、好ましくは、前記押圧板（６）の長手方向に本質的に摺動可能に接続されることを特徴とする、先行する請求項のいずれか１つに記載の機械加工装置。
【請求項５】
前記少なくとも１つの傾斜した案内部材（１０、１２）は、前記押圧板（６）の、前記保持手段（８）から見て外方を向く側に設けられることを特徴とする、先行する請求項のいずれか１つに記載の機械加工装置。
【請求項６】
前記押圧板（６）は、前記搬送手段の搬送の方向に対して直交するように延在する、少なくとも１つの開口（６′）を含み、好ましくは、前記押圧板（６）が、前記開口（６′）の延在する方向に、前記少なくとも１つの摺動部材（１０″、１２″）に対して摺動可能となるように、前記開口を前記少なくとも１つの摺動部材（１０″、１２″）が通過することを特徴とする、先行する請求項のいずれか１つに記載の機械加工装置。
【請求項７】
前記案内手段は、好ましくは少なくとも１つの接続部材（７）によってともに接続される少なくとも２つの傾斜した案内部材（１０、１２）を含むことを特徴とする、先行する請求項のいずれか１つに記載の機械加工装置。
【請求項８】
前記少なくとも１つの傾斜した案内部材（１０、１２）の前記傾斜した案内面（１０′、１２′）は、前記搬送手段（２）の搬送の方向に対して、１０°から８０°の範囲、好ましくは２０°から７０°の範囲、特に好ましくは３０°から６０°の範囲で角度を有することを特徴とする、先行する請求項のいずれか１つに記載の機械加工装置。
【請求項９】
前記装置はさらに調整手段（１４）を含み、調整手段によって、前記少なくとも１つの傾斜した案内部材（１０、１２）を、前記押圧板（６）に対して移動または固定できることを特徴とする、先行する請求項のいずれか１つに記載の機械加工装置。
【請求項１０】
前記調整手段（１４）はスピンドルを含むことを特徴とする、請求項６に記載の機械加工装置。
【請求項１１】
前記押圧手段（４）は、前記押圧板（６）に取付けられる複数の押圧ローラ（１６）を含み、または、前記押圧板の周囲を継続的に回転する押圧部材を含むことを特徴とする、先行する請求項のいずれか１つに記載の機械加工装置。
【発明の詳細な説明】
【技術分野】
【０００１】
この発明は、請求項１のプリアンブルに従って、好ましくは、少なくとも一部が、木、木材またはその同種のものから作られるパネル形状の加工物を機械加工するための機械加工装置に関する。
【背景技術】
【０００２】
先行技術
上記のタイプの機械加工装置は、機械加工すべきパネル形状の加工物を搬送するための搬送手段を含み、このタイプの装置はさらに、押圧板を有する押圧手段を含み、それによって、機械加工すべきパネル形状の加工物を、搬送手段に対して押圧させることができる。パネル形状の加工物を押圧することで、機械加工の間、加工物が確実に案内されるようになる。押圧板は、機械加工すべき加工物の厚さに合わせて、その都度調整する必要がある。ここで重要なのは、搬送および機械加工プロセスの間中、加工物を均一かつ確実に押圧するために、押圧板を常に、搬送手段に対して本質的に平行に延在させるべきであるという点である。
【発明の開示】
【発明が解決しようとする課題】
【０００３】
比較的丈の短い機械加工装置の場合、押圧板は、調整スピンドルを備える中央可動台によって調整されることが多い。しかしながら、比較的丈の長い機械の場合、押圧板に作用する力はより大きくなり、押圧板に対応付けられたスピンドルを有する複数の案内機構が必要となる。これらのスピンドルは通常、一般的な駆動チェーンおよびチェーンホイール（スプロケット）によって、または中間軸およびベベルギヤまたはウォームギヤのセットによって中心が駆動される。この構成の結果、構造設計が複雑となり、望ましくない。
【０００４】
発明の説明
この発明は、上記のタイプの機械加工装置を提供する問題に基づくものであり、この機械加工装置は、簡単な設計であり、かつ、搬送手段および押圧手段および／または押圧板が比較的長い場合でも、押圧板の調整を可能にする。
【課題を解決するための手段】
【０００５】
この発明に従って、この問題は、請求項１に従う機械加工装置によって解決される。特に、この発明の有利な実施例を従属クレームに記載する。
【０００６】
この発明は、単純な線形運動を受ける構成要素によって、押圧板を調整するという構想に基づくものであり、この結果、先行する手法とは完全に異なる調整スピンドルが使用される。この目的で、この発明が予見するところでは、プリアンブルに基づく機械加工装置の案内手段は、押圧板に対して摺動可能に設けられる少なくとも１つの傾斜した案内部材を有し、この案内部材は、搬送手段の搬送の方向に角度をなして延在する傾斜した案内面を有する。
【０００７】
このようにして、チェーンホイール、中間軸またはベベルギアおよび／またはウォームギヤのセットのような、先行技術において必要とされた構成要素が不要となり得る。これによって、この発明に従う機械加工装置の構造設計が大幅に簡略化し、それと同時に、押圧板の正確かつ確実な調整が可能となる。
【０００８】
この発明のさらなる特徴および利点を、以下の好ましい実施例の詳細な説明に基づいて
、さらに効果的に説明する。
【発明を実施するための最良の形態】
【０００９】
好ましい実施例の詳細な説明
以下に、添付の図面を参照して、この発明のさまざまな好ましい実施例を詳細に説明する。
【００１０】
この発明のある好ましい実施例である機械加工装置１を、図１に部分斜視図として概略的に示す。機械加工装置１は、ここではさらに詳細には示していないが、たとえば、木、木材またはその他の複合物から作られるパネル形状の加工物を機械加工するために用いられる。したがって、パネル形状の加工物の例は、家具の前面パネル、作業台、および作業面またはその同種のものを含んでいてもよい。
【００１１】
まず、機械加工装置１は、機械加工すべきプレート形状の加工物を搬送するための、たとえばベルトコンベアまたはチェーンコンベアの形態の搬送手段２を有する。搬送手段２の上方には、押圧手段４がある。押圧手段は押圧棒（板）６を有しているので、機械加工すべきパネル形状の加工物を搬送手段に対して押圧することができる。より正確に言うと、この実施例では、複数の押圧ローラ１６が押圧板６に設けられるので、押圧ローラ１６と搬送手段２との間に、パネル形状の加工物のための搬送ギャップが形成される。
【００１２】
押圧手段４は、２つの本質的にＵ字型の支持体の形態の保持手段８を介して、搬送手段２に接続される。
【００１３】
図面には示していないが、この発明の機械加工装置１の場合、パネル形状の加工物を機械加工するための機械工具または機械加工組立品が、搬送手段２に沿って設けられる。これらの機械工具または機械加工組立品の例として、エッジバンディング組立品、面一フライス加工組立品、スクレーパ、または上記のパネル形状の加工物を機械加工するためのその他の任意のタイプの適切な組立品または工具を含んでいてもよい。
【００１４】
この実施例では、搬送手段２の搬送の方向に直交して走行する方向に押圧板６を案内するように設計された案内手段は、押圧板６と支持体８の各々との間に配置される。
【００１５】
この実施例では、押圧板に案内溝１３を設けた結果、案内手段は、押圧板６に対して摺動可能に設けられる２つの傾斜した案内部材１０、１２を有する。傾斜した案内部材１０、１２は各々、搬送手段２の搬送の方向に角度をなして延在する傾斜した案内面１０′、１２′を有する。この実施例では、傾斜した案内面１０′、１２′は、搬送手段２の搬送の方向に対して約４０°の角度を有する。
【００１６】
案内手段もまた、２つの摺動部材１０″、１２″を含み、この実施例では、摺動部材は、摺動ブロックとして設計され、かつ、１つの摺動面によって、傾斜した案内部材１０または１２の傾斜した案内面１０′または１２′と接触するか、その面に沿って摺動するように配置されている。摺動部材１０″、１２″は、保持手段８に確実に接続され、かつ、各々は、傾斜した案内部材１０、１２の傾斜した案内面１０′、１２′に向かって、開口６′を通って延在し、その開口は、押圧板６に設けられる。
【００１７】
図２から最もよく分かるように、開口６′は、押圧板の下端に本質的に直交するように、または、搬送手段２の搬送の方向に延在する。さらに、これらの開口６′および摺動部材１０″、１２″は、押圧板６が、開口６′の延在する方向に、少なくとも１つの摺動部材１０′、１２′に対して摺動可能となるように、互いに適応している。
【００１８】
図１から最もよく分かるように、この発明に従う機械加工装置１はさらに調整手段１４を含み、この実施例では、調整手段は、スピンドルを有し、かつ、押圧板６に対して傾斜した案内部材１０、１２を移動または固定するように設計されている。したがって、スピンドルの回転により、傾斜した案内部材１０、１２は、それぞれのパネル形状の加工物のために、押圧板６と搬送手段２との間の適切な搬送ギャップが調整されるように、押圧板６に対して移動する。摺動部材１０″、１２″は、傾斜した案内面１０′、１２′に沿って摺動するので、傾斜した案内部材１０、１２は押圧板６とともに上下する。したがって、複雑な搬送機構を必要とせずに、押圧板６の高さを、搬送手段２に対して本質的に垂直であるように正確に調整することができる。
【図面の簡単な説明】
【００１９】
【図１】この発明のある実施例である機械加工装置の第１の部分の部分斜視図を概略的に示す図である。
【図２】図１のより詳細な部分図を概略的に示す図である。
【図３】図１の機械加工装置の異なる部分の部分的な斜視図である。
【符号の説明】
【００２０】
１  機械加工装置、２  搬送手段、４  押圧手段、６  押圧板、７  接続部材、８  保持手段、１０、１２  傾斜した案内部材、１０′、１２′  傾斜した案内面、１０″、１２″  摺動部材、１４  調整手段、１６  押圧ローラ。
【図１】
2007253622.tif 000003
【図２】
2007253622.tif 000004
【図３】
2007253622.tif 000005